(57)【要約】【課題】撮影画像のアップロード時に、登録先フォルダの間違えを防止する。【解決手段】本実施形態に係る画像管理装置は、画像記憶領域であるフォルダが複数設けられ、各フォルダに撮影日情報が設定されている記憶部と、各フォルダのフォルダ名及び前記撮影日情報を含むフォルダ情報を第１端末へ送信するフォルダ情報送信部と、前記第１端末からフォルダの選択を受け付けるフォルダ選択受付部と、前記第１端末から、撮影日が、選択されたフォルダの撮影日情報に対応する画像を受信し、受信した画像を前記選択されたフォルダに格納する画像受信部と、第２端末から前記記憶部に格納されている画像のプリント注文を受け付ける注文処理部と、を備えるものである。【選択図】図１
2020014092.tif 000002
【特許請求の範囲】
【請求項１】
画像記憶領域であるフォルダが複数設けられ、各フォルダに撮影日情報が設定されている記憶部と、
各フォルダのフォルダ名及び前記撮影日情報を含むフォルダ情報を第１端末へ送信するフォルダ情報送信部と、
前記第１端末からフォルダの選択を受け付けるフォルダ選択受付部と、
前記第１端末から、撮影日が、選択されたフォルダの撮影日情報に対応する画像を受信し、受信した画像を前記選択されたフォルダに格納する画像受信部と、
第２端末から前記記憶部に格納されている画像のプリント注文を受け付ける注文処理部と、
を備える画像管理装置。
【請求項２】
前記複数のフォルダに設定されている撮影日情報は互いに異なることを特徴とする請求項１に記載の画像管理装置。
【請求項３】
前記第１端末からフォルダの新規作成を受け付け、新規作成フォルダの撮影日情報と、既存フォルダの撮影日情報とが重なった場合、既存フォルダ内の画像のうち、撮影日が新規作成フォルダの撮影日情報に対応する画像を抽出し、抽出画像を新規作成フォルダへ移動する否か前記第１端末から選択を受け付けることを特徴とする請求項１に記載の画像管理装置。
【請求項４】
画像記憶領域であるフォルダが複数設けられ、各フォルダに撮影日情報が設定されている記憶部を有する画像管理装置が、各フォルダのフォルダ名及び前記撮影日情報を含むフォルダ情報を第１端末へ送信する工程と、
前記第１端末が、ユーザにより選択されたフォルダを前記画像管理装置に通知し、選択したフォルダの撮影日情報に基づいて前記第１端末内に保存されている画像を検索して抽出し、抽出した画像の中からアップロードする画像の選択をユーザから受け付け、選択された画像を前記画像管理装置へ送信する工程と、
前記画像管理装置が、前記第１端末から受信した画像を通知されたフォルダに格納し、第２端末から前記記憶部に格納されている画像のプリント注文を受け付ける工程と、
を備える画像管理方法。
【請求項５】
請求項１乃至３のいずれか１項に記載の画像管理装置から複数のフォルダの前記フォルダ情報を受信するステップと、
前記フォルダ情報に基づくフォルダ選択画面を表示部に表示し、前記フォルダ選択画面を介してユーザからフォルダの選択を受け付け、選択されたフォルダを前記画像管理装置に通知するステップと、
選択されたフォルダの前記フォルダ情報に含まれる撮影日情報に基づいて、記憶部内の画像を検索して抽出するステップと、
抽出した画像を用いた画像選択画面を前記表示部に表示し、前記画像選択画面を介してユーザからアップロードする画像の選択を受け付けるステップと、
選択された画像を前記画像管理装置へ送信するステップと、
をコンピュータに実行させるプログラム。
【発明の詳細な説明】
【技術分野】
【０００１】
本発明は、画像管理装置、画像管理方法及びプログラムに関する。
【背景技術】
【０００２】
幼稚園、保育園、小学校等での子供たちの日常の様子をプロカメラマンや先生が撮影し、写真をインターネット上で閲覧・販売する、いわゆるスクールフォトサービスが提供されている。
【０００３】
例えば、先生が子供たちを撮影し、写真販売システムのサーバに撮影画像をアップロードする。保護者は、専用ウェブサイトにログインし、アップロードされた撮影画像を閲覧し、自分の子供が写っている画像を選択して購入する。購入された画像は、サービス提供業者の工場で用紙にプリントされ、保護者の元に写真が配送される。
【０００４】
写真販売システムのサーバには、イベント、月毎にフォルダが設けられている。例えば、入園式、遠足、運動会等のイベント別のフォルダや、４月の生活、５月の生活等の月毎のフォルダが設けられている。先生は、撮影画像を、対応するフォルダにアップロードして登録する。この時、撮影画像の登録先フォルダを間違えてしまうことがあった。
【先行技術文献】
【特許文献】
【０００５】
【特許文献１】特開２０１４−１０２７１５号公報
【発明の概要】
【発明が解決しようとする課題】
【０００６】
本発明は、撮影画像のアップロード時に、登録先フォルダの間違えを防止する画像管理装置、画像管理方法及びプログラムを提供することを課題とする。
【課題を解決するための手段】
【０００７】
本発明による画像管理装置は、画像記憶領域であるフォルダが複数設けられ、各フォルダに撮影日情報が設定されている記憶部と、各フォルダのフォルダ名及び前記撮影日情報を含むフォルダ情報を第１端末へ送信するフォルダ情報送信部と、前記第１端末からフォルダの選択を受け付けるフォルダ選択受付部と、前記第１端末から、撮影日が、選択されたフォルダの撮影日情報に対応する画像を受信し、受信した画像を前記選択されたフォルダに格納する画像受信部と、第２端末から前記記憶部に格納されている画像のプリント注文を受け付ける注文処理部と、を備えるものである。
【０００８】
本発明の一態様による画像管理装置において、前記複数のフォルダに設定されている撮影日情報は互いに異なる。
【０００９】
本発明の一態様による画像管理装置は、前記第１端末からフォルダの新規作成を受け付け、新規作成フォルダの撮影日情報と、既存フォルダの撮影日情報とが重なった場合、既存フォルダ内の画像のうち、撮影日が新規作成フォルダの撮影日情報に対応する画像を抽出し、抽出画像を新規作成フォルダへ移動する否か前記第１端末から選択を受け付ける。
【００１０】
本発明による画像管理方法は、画像記憶領域であるフォルダが複数設けられ、各フォルダに撮影日情報が設定されている記憶部を有する画像管理装置が、各フォルダのフォルダ名及び前記撮影日情報を含むフォルダ情報を第１端末へ送信する工程と、前記第１端末が、ユーザにより選択されたフォルダを前記画像管理装置に通知し、選択したフォルダの撮影日情報に基づいて前記第１端末内に保存されている画像を検索して抽出し、抽出した画像の中からアップロードする画像の選択をユーザから受け付け、選択された画像を前記画像管理装置へ送信する工程と、前記画像管理装置が、前記第１端末から受信した画像を通知されたフォルダに格納し、第２端末から前記記憶部に格納されている画像のプリント注文を受け付ける工程と、を備えるものである。
【００１１】
本発明によるプログラムは、本発明の画像管理装置から複数のフォルダの前記フォルダ情報を受信するステップと、前記フォルダ情報に基づくフォルダ選択画面を表示部に表示し、前記フォルダ選択画面を介してユーザからフォルダの選択を受け付け、選択されたフォルダを前記画像管理装置に通知するステップと、選択されたフォルダの前記フォルダ情報に含まれる撮影日情報に基づいて、記憶部内の画像を検索して抽出するステップと、抽出した画像を用いた画像選択画面を前記表示部に表示し、前記画像選択画面を介してユーザからアップロードする画像の選択を受け付けるステップと、選択された画像を前記画像管理装置へ送信するステップと、をコンピュータに実行させるものである。
【発明の効果】
【００１２】
本発明によれば、撮影画像のアップロード時に、登録先フォルダの間違えを防止できる。
【図面の簡単な説明】
【００１３】
【図１】（ａ）は撮影風景を示す図であり、（ｂ）は写真販売システムの概略構成図である。
【図２】画像管理装置の機能ブロック図である。
【図３】携帯端末の機能ブロック図である。
【図４】フォルダ選択画面の例を示す図である。
【図５】アップロード画像選択画面の例を示す図である。
【発明を実施するための形態】
【００１４】
以下、本発明の実施の形態を図面に基づいて説明する。
【００１５】
図１（ａ）（ｂ）に示すように、本発明の実施形態に係る写真販売システムでは、幼稚園、保育園、小学校等で、先生が子供たちを撮影し、撮影した画像を画像管理装置１にアップロードする。撮影は、先生だけでなく、プロカメラマンが行ってもよい。
【００１６】
撮影には、スマートフォンやタブレット端末等の携帯端末２や、デジタルカメラ３が使用される。携帯端末２で撮影を行った場合は、携帯端末２から画像管理装置１に撮影画像をアップロードできる。デジタルカメラ３で撮影を行った場合は、デジタルカメラ３からパーソナルコンピュータ４へ撮影画像を転送し、パーソナルコンピュータ４を用いて画像管理装置１に撮影画像をアップロードする。以下、携帯端末２から画像管理装置１に画像をアップロードする例について説明する。
【００１７】
画像管理装置１は、携帯端末２からアップロードされた画像を販売するためのウェブサイトを提供する。幼稚園、保育園、小学校等に通う子供たちの保護者は、スマートフォンやパーソナルコンピュータ等の顧客端末６を用いてウェブサイトにアクセスし、販売画像の一覧画面を閲覧する。顧客は、一覧画面から購入したい画像を選択し、自宅住所を入力し、クレジットカード決済等で料金を支払う。
【００１８】
画像管理装置１は、選択された画像のデータを工場５へ転送する。工場５に設置されたプリンタが、転送された画像を用紙に印刷して、プリント物（写真）７を作製する。プリント物７は、顧客の自宅へ配送される。
【００１９】
画像管理装置１は、販売画像をイベントや月毎に分類して顧客端末６に提示する。そのため、画像管理装置１にはイベントや月毎にフォルダが準備されており、携帯端末２から画像をアップロードするにあたり、どのフォルダに画像を登録するか選択する必要がある。本実施形態に係る写真販売システムは、フォルダを選択すると、携帯端末２内の画像のうち、選択したフォルダに対応する画像のみがアップロード可能となり、画像を登録するフォルダの間違えを防止するものである。
【００２０】
図２に示すように、画像管理装置１は、ＲＯＭ（Read  Only  Memory）、ＲＡＭ（Random  Access  Memory）、不揮発性メモリ、ハードディスク装置等を含む記憶部１０を有したコンピュータであり、記憶部１０には画像販売プログラム等が格納されている。
【００２１】
記憶部１０は、複数の画像記憶領域（フォルダＦ）を有している。フォルダＦは、イベントや月毎に対応して設けられている。例えば、運動会用のフォルダ、遠足用のフォルダ、１０月の生活用のフォルダ等が設けられている。フォルダＦは、システム管理者が年間行事に即してあらかじめ作成してもよく、先生やプロカメラマンが画像をアップロードする際に作成してもよい。
【００２２】
また、各フォルダＦには、登録すべき画像の撮影日情報が対応付けられている。例えば、運動会用のフォルダには、運動会の実施日である１０月７日が撮影日情報として対応付けられている。遠足用のフォルダには、遠足の実施日である１０月１８日が撮影日情報として対応付けられている。
【００２３】
１０月の生活用のフォルダには、１０月７日及び１０月１８日を除く１０月１日〜１０月３１日が撮影日情報として対応付けられている。１０月７日及び１０月１８日はそれぞれ運動会、遠足として別フォルダに撮影日情報が設定されており、同一の撮影日が複数のフォルダに重複して登録されないようにするために、１０月７日及び１０月１８日が除かれる。
【００２４】
画像管理装置１のＣＰＵ（中央処理部）が画像販売プログラムを実行することで、図２に示すように、フォルダ情報送信部１１、フォルダ選択受付部１２、画像受信部１３及び注文処理部１４の機能が実現される。各部の処理は後述する。
【００２５】
次に、携帯端末２について説明する。図３に示すように、携帯端末２は、ＲＯＭ、ＲＡＭ、不揮発性メモリ等を含む記憶部２０、ＣＭＯＳセンサ等を用いた撮影機能、通信機能等を有したスマートフォンやタブレット端末であり、記憶部２０には画像登録プログラムや、撮影部を用いて撮影した画像等が格納されている。撮影画像には、撮影日を示す情報（例えばＥＸＩＦ情報）が含まれている。
【００２６】
携帯端末２のＣＰＵが画像登録プログラムを実行することで、図３に示すように、フォルダ情報受信部２１、フォルダ選択部２２、画像検索部２３、画像選択部２４及び画像送信部２５の機能が実現される。
【００２７】
携帯端末２から画像管理装置１に画像をアップロードする際の各部の処理について説明する。携帯端末２を用いて画像管理装置１にアクセスすると、画像管理装置１のフォルダ情報送信部１１は、記憶部１０に設けられている各フォルダＦのフォルダ名及び撮影日情報を含むフォルダ情報を携帯端末２へ送信する。
【００２８】
携帯端末２のフォルダ情報受信部２１は、画像管理装置１からフォルダ情報を受信する。フォルダ選択部２２は、フォルダ情報を用いて、画像登録先フォルダの選択画面を作成し、携帯端末２の表示部に表示する。例えば、図４に示すような登録先フォルダ選択画面が表示される。利用者（先生）は、フォルダを選択し、選択ボタンＢ１を押す。
【００２９】
フォルダ選択部２２は、フォルダが選択されると、選択されたフォルダを画像管理装置１に通知する。画像管理装置１のフォルダ選択受付部１２は、画像を登録するフォルダの選択を受け付ける。
【００３０】
携帯端末２の画像検索部２３は、フォルダが選択されると、このフォルダに対応する撮影日の画像を記憶部２０から検索して抽出する。例えば、「運動会」フォルダが選択された場合、このフォルダに設定されている撮影日情報は１０月７日であり、画像検索部２３は撮影日が１０月７日の画像を記憶部２０から抽出する。
【００３１】
画像選択部２４は、画像検索部２３により抽出された画像を用いて、アップロードする画像を選択するアップロード画像選択画面を作成し、携帯端末２の表示部に表示する。例えば、図５に示すようなアップロード画像選択画面が表示される。各画像にはチェックボックスＣＢが設けられており、利用者は、アップロードする画像のチェックボックスＣＢにチェックを入れる。全選択ボタンＢ２を押すことで、画像検索部２３により抽出された全ての画像をアップロード対象として選択できる。
【００３２】
アップロードする画像の選択後、利用者はアップロード開始ボタンＢ３を押す。画像送信部２５は、選択された画像を画像管理装置１へ送信する。
【００３３】
画像管理装置１の画像受信部１３は、携帯端末２から画像を受信し、事前にフォルダ選択受付部１２が選択を受け付けていたフォルダＦに受信した画像を格納・登録する。
【００３４】
注文処理部１４は、記憶部１０内の画像を用いて販売画像一覧画面を作成し、顧客端末６に提示する。例えば、顧客が顧客端末６を操作し、画像を閲覧したいイベントを選択する。注文処理部１４は、選択されたイベントに対応するフォルダＦ内の画像を用いて、販売画像一覧画面を作成する。
【００３５】
注文処理部１４は、顧客端末６から画像購入注文を受け付け、注文情報を記憶部１０に格納する。注文情報は、選択した画像を識別する情報、プリント枚数、顧客氏名、配送先住所等を含む。注文処理部１４は、必要に応じて決済処理を行う。注文処理部１４は、購入された画像のデータを工場５へ送信する。
【００３６】
このように、本実施形態では、画像管理装置１の記憶部１０には、イベント等に応じた複数のフォルダＦが設けられ、各フォルダＦには撮影日情報が設定されている。利用者が、画像を登録するイベント等の名称のフォルダＦを選択すると、携帯端末２は、このフォルダＦの撮影日情報に対応する画像を検索し、アップロード可能な画像として表示する。利用者は、表示された画像の中からアップロードする画像を選択し、画像管理装置１にアップロードする。これにより、撮影画像のアップロード時に、登録先フォルダの間違えを防止できる。
【００３７】
また、撮影日情報が重複しないようにしているため、誤ったフォルダに画像が登録されることを防止できる。例えば、利用者が「１０月の生活」フォルダを選択した場合、画像検索部２３は、１０月７日及び１０月１８日を除く１０月１日〜１０月３１日が撮影日の画像を記憶部２０から抽出する。１０月７日の運動会の画像や、１０月１８日の遠足の画像が抽出されない。そのため、運動会や遠足の画像が「１０月の生活」フォルダに登録されることを防止できる。
【００３８】
画像管理装置１は、新規作成を受け付けたフォルダの撮影日情報と、既存フォルダの撮影日情報とが重なった場合、既存フォルダ内の画像のうち、新規作成フォルダの撮影日情報と同じ撮影日の画像を抽出し、抽出画像の一覧画面を携帯端末２へ送信して、抽出画像を新規作成フォルダへ移動するか選択できるようにしてもよい。
【００３９】
例えば、１０月７日が撮影日情報として対応付けられている運動会用フォルダ、１０月１８日が撮影日情報として対応付けられている遠足用フォルダ、１０月７日及び１０月１８日を除く１０月１日〜１０月３１日が撮影日情報として対応付けられている１０月の生活用フォルダが設けられ、各フォルダに画像が登録された後に、利用者が携帯端末２等を操作して、撮影日情報が１０月１０日を示す保護者参観用のフォルダを作成した場合を考える。このとき、画像管理装置１は、１０月の生活用フォルダ内のアップロード済みの画像から、撮影日が１０月１０日の画像を抽出し、抽出画像の一覧画面を携帯端末２へ送信し、保護者参観用のフォルダへ移動するか否か選択を受け付ける。一覧画面内の全ての画像を保護者参観用のフォルダへ一括で移動してもよいし、個別に選択された画像を保護者参観用のフォルダへ移動してもよい。
【００４０】
スクールフォトサービスでは、写真を学年単位、クラス単位で分類して販売することが多い。そのため、携帯端末２及びフォルダＦを、学年別、クラス別に準備することが好ましい。
【００４１】
あるいはまた、携帯端末２で撮影を行う際に、学年及び／又はクラスを設定し、撮影画像データに学年情報及び／又はクラス情報等が付与されるようにしてもよい。フォルダＦには、撮影日情報と、学年情報及び／又はクラス情報が設定されている。利用者がフォルダを選択すると、画像検索部２３は、撮影日と、学年及び／又はクラスとがこのフォルダに対応する画像を記憶部２０から検索して抽出する。
【００４２】
上記実施形態では、携帯端末１から画像管理装置１に画像をアップロードする例について説明したが、パーソナルコンピュータ４に画像登録プログラムをインストールし、実行することでも、同様の処理を行うことができる。
【００４３】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４４】
１  画像管理装置
２  携帯端末
３  デジタルカメラ
４  パーソナルコンピュータ
５  工場
６  顧客端末
７  プリント物
【図１】
2020014092.tif 000003
【図２】
2020014092.tif 000004
【図３】
2020014092.tif 000005
【図４】
2020014092.tif 000006
【図５】
2020014092.tif 000007